(57)【要約】【課題】自機が実行するアプリケーションからのデータへのアクセスを制限する。【解決手段】表示装置（１）は、番組との同時の提示が放送局によって認められたアプリケーションを取得する取得手段（１５）と、番組の録画又は再生に関するデータにアプリケーションがアクセスすることを許可するか否かの設定を受け付ける設定受付手段（１３３）と、アプリケーションが上記データにアクセスすることを制限するアクセス制限手段（１３４）とを備える。【選択図】図１
2015211289.tif 000002
【特許請求の範囲】
【請求項１】
番組の映像を表示する表示装置において、
上記番組との同時の提示が上記番組を放送する放送局によって認められたアプリケーションを取得する取得手段と、
上記番組の録画又は再生に関するデータに上記アプリケーションがアクセスすることを許可するか否かの設定を受け付ける設定受付手段と、
上記アクセスを許可する旨の上記設定がされている場合に限って上記アプリケーションが上記データにアクセスすることを許可するアクセス制限手段と、を備えている、
ことを特徴とする表示装置。
【請求項２】
上記データは、上記録画又は再生に関する上記表示装置の機能を実現するプログラムのデータであり、
上記設定受付手段は、上記機能の種別ごとにグループ化した各グループについて、当該グループに対応する種別の機能を実現するプログラムのデータに上記アプリケーションがアクセスすることを許可するか否かの上記設定を受け付ける、
ことを特徴とする請求項１に記載の表示装置。
【請求項３】
上記設定受付手段は、放送局ごとに、当該放送局が放送する番組を再生している間に上記アプリケーションが上記データにアクセスすることを許可するか否かの上記設定を受け付ける、
ことを特徴とする請求項１または２に記載の表示装置。
【請求項４】
上記設定受付手段は、再生中の番組の再生が終了するまでの間に限って上記アプリケーションが上記データへアクセスすることを許可するか否かの上記設定を受け付ける、
ことを特徴とする請求項１から３の何れか１項に記載の表示装置。
【請求項５】
番組の映像を表示装置に表示する表示方法であって、
上記番組との同時の提示が上記番組を放送する放送局によって認められたアプリケーションを取得する取得工程と、
上記番組の録画又は再生に関するデータに上記アプリケーションがアクセスすることを許可するか否かの設定を受け付ける設定受付工程と、
上記アクセスを許可する旨の上記設定がされている場合に限って上記アプリケーションが上記データにアクセスすることを許可するアクセス制限工程と、を含んでいる、
ことを特徴とする表示方法。
【発明の詳細な説明】
【技術分野】
【０００１】
本発明は、表示装置、及び、表示方法に関する。また、表示装置の各手段を備えたテレビジョン受像機、表示装置としてコンピュータを動作させるためのプログラム、及び、そのようなプログラムが記録されている記録媒体に関する。
【背景技術】
【０００２】
受信機内のリソースに対するアクセス制限に関する技術として、例えば、特許文献１、２に開示されている技術が挙げられる。
【０００３】
特許文献１には、受信機内のリソースに対する端末装置からのアクセスを制御可能な端末連携システムが記載されている。特許文献２には、受信機内において実行されるアプリケーションの所定機能の実行を制限する制御を行うことが可能な受信機が記載されている。特許文献２の受信機は、具体的には、ＡＰＩ毎に定義されたＡＰＩ可否テーブル（受信機に対するユーザの設定とは無関係に定義されたテーブル）を参照することによりＡＰＩの実行可否を決定するようになっている。
【０００４】
また、近年、放送コンテンツを再生する機能に加えて、アプリケーションを実行する機能を有するスマートテレビの開発が進んでいる。Ｈｙｂｒｉｄｃａｓｔ（登録商標）（以下、「ＨＣ」とも記載）対応テレビは、このようなスマートテレビの一例であり、通信ネットワークを介して取得したＨＴＭＬ５アプリケーションを実行する機能を有している。
【先行技術文献】
【特許文献】
【０００５】
【特許文献１】特開２０１２−２４３０６１号公報（２０１２年１２月１０日公開）
【特許文献２】特開２０１２−２５７２３０号公報（２０１２年１２月２７日公開）
【発明の概要】
【発明が解決しようとする課題】
【０００６】
上述のＨＣ対応テレビにおいて番組と同時に提示されるＨＴＭＬ５アプリケーションは、テレビに格納されている情報を参照することや、テレビの再生または録画に関する機能を実行させるＡＰＩ（Application Programming Interface）を呼び出すことが可能になる。
【０００７】
これに関し、例えば、上記ＨＴＭＬ５アプリケーションとしてユーザに広告を提示するようなアプリケーションを作成する事業者は、広告効果を高めるために、スマートテレビが保持しているユーザの視聴履歴または録画履歴を示すデータを参照し、ユーザの嗜好に合った広告を提示するアプリケーションを作成することも想定される。上述のＨＣ対応テレビのユーザの中には、上記ＨＴＭＬ５アプリケーションが自身の意思とは無関係にそのようなデータにアクセスすることは好ましくない、と感じる者もいると考えられる。
【０００８】
また、例えば、上記ＨＴＭＬ５アプリケーションにより録画機能を実行させるＡＰＩが呼び出された場合、ユーザが意図していた録画予約が阻害されてしまう事態も想定される。さらに、例えば、ユーザが字幕表示された映像を見ている際に、上記ＨＴＭＬ５アプリケーションにより、字幕表示を解除する機能を実行させるＡＰＩが呼び出されてしまうことも想定される。
【０００９】
しかしながら、上記従来の技術（例えば、特許文献１、２の技術）を用いても、ＨＣ対応テレビのＨＴＭＬ５アプリケーションがユーザの意思に反した動作を行うことを十分に防ぐことはできない。
【００１０】
本発明は、上記の課題に鑑みてなされたものであり、その目的は、自機が実行するアプリケーション（具体的には、番組との同時の提示が放送局によって認められたアプリケーション）がユーザにとってアクセスされたくないデータへアクセスすることを制限する設定が可能な表示装置を実現することにある。
【課題を解決するための手段】
【００１１】
上記の課題を解決するために、本発明の一態様に係る表示装置は、番組の映像を表示する表示装置において、上記番組との同時の提示が上記番組を放送する放送局によって認められたアプリケーションを取得する取得手段と、上記番組の録画又は再生に関するデータに上記アプリケーションがアクセスすることを許可するか否かの設定を受け付ける設定受付手段と、を備え、上記アクセスを許可する旨の上記設定がされている場合に限って上記アプリケーションが上記データにアクセスすることを許可するアクセス制限手段と、を備えている、ことを特徴としている。
【００１２】
また、上記の課題を解決するために、本発明の一態様に係る表示方法は、番組の映像を表示装置に表示する表示方法であって、上記番組との同時の提示が上記番組を放送する放送局によって認められたアプリケーションを取得する取得工程と、上記番組の録画又は再生に関するデータに上記アプリケーションがアクセスすることを許可するか否かの設定を受け付ける設定受付工程と、上記アクセスを許可する旨の上記設定がされている場合に限って上記アプリケーションが上記データにアクセスすることを許可するアクセス制限工程と、を含んでいる、ことを特徴としている。
【発明の効果】
【００１３】
本発明の一態様によれば、自機が実行するアプリケーションがユーザにとってアクセスされたくないデータへアクセスすることを制限することができる。
【図面の簡単な説明】
【００１４】
【図１】本発明の一実施形態に係る表示装置の構成の一例を示すブロック図である。
【図２】ＨＣにおける放送マネージド及び放送外マネージドの概要を示す、関連情報提供システムの外観図である。
【図３】図１に示す表示装置の備える設定受付部が設定を受け付ける際に表示部に表示される画面の一例を示す図である。
【図４】図１に示す表示装置の備える表示部に表示される画面の例を示す図であり、（ａ）は、アプリケーションが番組の録画又は再生に関するデータにアクセスすることを拒否された場合に表示される画面の一例を示す図であり、（ｂ）は、再生中の番組の再生が終了するまでの間に限って上記アプリケーションが上記データへアクセスすることを許可するか否かの設定を受け付ける際に表示される画面の一例を示す図である。
【図５】図１に示す表示装置がアプリケーションの起動に先立って行う処理の一例を示すフローチャートである。
【図６】図１に示す表示装置の動作の一例を示すフローチャートである。
【図７】図６に示すフローチャートにおいて、番組ごとに許可設定を行う場合の動作の一例を示すフローチャートである。
【図８】図１に示す表示装置の構成例を示す外観図であり、（ａ）は表示装置、及び当該表示装置に接続される外付けディスプレイを示す外観図であり、（ｂ）はディスプレイを備えた表示装置を示す外観図であり、（ｃ）は表示装置、及び当該表示装置に接続される再生装置を示す外観図である。
【発明を実施するための形態】
【００１５】
＜実施形態１＞
本発明に係る表示装置の一実施形態について、図１から図７を参照して説明する。但し、この実施形態に記載されている構成は、特に特定的な記載がない限り、この発明の範囲をそれのみに限定する趣旨ではなく、単なる説明例に過ぎない。また、本明細書においては、「アプリケーション」を「アプリ」と記載することもある。
【００１６】
〔ＨＣの概要〕
まず、本実施形態の説明に先立って、Ｈｙｂｒｉｄｃａｓｔ（登録商標）（単にＨＣとも記載する）における放送マネージド及び放送外マネージドの概要について、図２を参照して説明する。図２は、ＨＣにおける放送マネージド及び放送外マネージドの概要を示す、関連情報提供システム１００の外観図である。
【００１７】
図２に示すように、関連情報提供システム１００は、テレビジョン受像機（テレビ）（表示装置）１’、アプリケーションサーバＡ、及び、アプリケーションサーバＢを含んで構成されている。また、テレビ１’は、放送ストリームを受信するアンテナ１１’を備えている。なお、放送ストリームには、放送番組、及び、該放送番組に関連付けられたアプリＵＲＬが含まれている。
【００１８】
（放送マネージド）
本実施形態では、テレビ１’は、放送局が放送中の放送番組の再生中に該放送番組と連動するＨＴＭＬ５アプリケーション（いわゆる、放送マネージドアプリ（連動アプリケーション））を実行する。放送マネージドアプリは、上記放送局によって放送番組との同時の提示が認められたマネージドアプリケーションである。
【００１９】
具体的には、図２の（Ａ）に示すように、テレビ１’のＣＰＵ（図２には不図示）は、放送ストリームに放送番組と関連付けて含まれているアプリＵＲＬを取得し、取得したアプリＵＲＬの示すアプリケーションサーバＡにアクセスする。そして、テレビ１’は、アプリケーションサーバＡから表示中の放送番組に対応する放送マネージドアプリを取得し、実行する。
【００２０】
放送マネージドアプリは、放送ストリームに含まれる起動及び終了などの制御信号に基づいて、放送番組と連動した形で動作する。
【００２１】
なお、放送マネージドアプリは放送番組に関連しているため、アンテナ１１’において受信対象となるチャンネル（放送局）が切り替えられると、放送マネージドアプリの実行は終了する。
【００２２】
（放送外マネージド）
テレビ１’は、放送局が放送番組の再生中に、放送番組とは連動しないＨＴＭＬ５アプリケーション（いわゆる、放送外マネージドアプリ（非連動アプリケーション））を起動させる操作を受け付けると、放送外マネージドアプリを実行する。放送外マネージドアプリも、上記放送局によって放送番組との同時の提示が認められたマネージドアプリケーションである。
【００２３】
具体的には、テレビ１’は、例えば該テレビ１’の記憶部などに格納されているアプリＵＲＬリスト中の任意のＵＲＬの示すサーバ（図２の（Ｂ）に示す例では、アプリケーションサーバＢ）にアクセスする。そして、テレビ１’は、アプリケーションサーバＢから放送外マネージドアプリを取得し、実行する。
【００２４】
なお、アプリＵＲＬリストは、上述のようにテレビ１’の記憶部などに格納されていればよいが、本発明はこれに限定されるものではなく、例えば、インターネットなどのネットワークを介してサーバから取得されてもよい。
【００２５】
〔表示装置１の構成〕
次に、本実施形態に係る表示装置１の構成について、図１を参照して説明する。図１は、表示装置１の構成の一例を示すブロック図である。
【００２６】
図１に示すように、表示装置１は、アンテナ１１、チューナ部１２、制御部１３、表示部１４、取得部（取得手段）１５、指示受付部１６、記憶部１７を備えている。
【００２７】
アンテナ１１は、放送ストリームを受信するためのアンテナである。チューナ部１２は、アンテナ１１を介して、放送ストリームを受信する。チューナ部１２は、受信した放送ストリームに含まれる放送番組を示す映像信号を表示制御部１３１に供給する。また、チューナ部１２は、放送ストリームに放送番組と関連付けて含まれているアプリＵＲＬ（放送マネージドアプリの取得先を示すＵＲＬ）を取得部１５に供給する。さらに、チューナ部１２は、放送ストリームに含まれる制御信号（具体的には、放送マネージドアプリを起動又は終了させる制御信号）を実行処理部１３２に供給する。
【００２８】
制御部１３は、表示装置１の動作を統括して制御するものであり、例えばＣＰＵ（Central Processing Unit）等で構成することができる。制御部１３は、記憶部１７に格納されているプログラム等をＲＡＭ（Random Access Memory）等で構成される一次記憶部（図示せず）に読み出して実行することによって動作する。図１に示すように、制御部１３には、表示制御部１３１、実行処理部１３２、設定受付部（設定受付手段）１３３、及びアクセス制限処理部（アクセス制限手段）１３４が含まれる。
【００２９】
表示制御部１３１は、表示部１４に表示させる画面を制御するための手段として機能する。表示制御部１３１は、チューナ部１２から供給された映像信号が示す番組の映像を表示部１４に表示させる。また、表示制御部１３１は、後述する実行処理部１３２にて実行されたアプリの実行結果を示す画面を表示部１４に表示させる。
【００３０】
実行処理部１３２は、アプリを実行するための手段として機能する。実行処理部１３２は、チューナ部１２から供給された制御信号に基づいて、取得部１５から供給された放送マネージドアプリの起動及び終了を行う。例えば、チューナ部１２から放送マネージドアプリの起動を指示する制御信号を受信すると、実行処理部１３２は、取得部１５から供給された放送マネージドアプリを実行する。また、実行処理部１３２は、後述する指示受付部１６から供給された制御信号に基づいて、取得部１５から供給された放送マネージドアプリの起動及び終了を行う。実行処理部１３２は、アプリの実行結果を表示するための映像信号を表示制御部１３１に供給する。なお、実行処理部１３２が実行するアプリは、後述する取得部１５から供給されたアプリであってもよいし、記憶部１７に予め格納されているアプリであってもよい。
【００３１】
設定受付部１３３は、番組の録画又は再生に関するデータ（以下、「内部データ」とも記載する）に、アプリがアクセスすることを許可するか否かの設定（以下、「許可設定」とも記載する）を受け付ける設定受付手段として機能する。設定受付部１３３は、後述する指示受付部１６が受け付けたユーザからの操作指示を示す制御信号に応じて、許可設定を受け付ける。ここで、許可設定の設定対象となる内部データは、録画又は再生に関する表示装置１の機能を実現するプログラムのデータであり、例えば、ＡＰＩ（Application Programming Interface）のデータである。実行処理部１３２により実行されたアプリが、上記の機能の何れかに対応するＡＰＩにアクセスすることによって、表示装置１に各機能を実行させることができる。設定受付部１３３は、以上のようにして受け付けた許可設定を示す情報を、許可設定情報として記憶部１７に格納する。なお、設定受付部１３３の詳細については、参照する図面を代えて後述する。
【００３２】
アクセス制限処理部１３４は、アクセスを許可する旨の許可設定がされている場合に限ってアプリが内部データにアクセスすることを許可するアクセス制限手段として機能する。アクセス制限処理部１３４は、記憶部１７に格納されている許可設定情報を参照して、アプリが、アクセスすることが許可されている内部データにアクセスするように（もしくは、アクセスすることが許可されていない内部データにアクセスしないように）、実行処理部１３２に制御信号を送信する。また、アクセス制限処理部１３４は、放送マネージドアプリのみが内部データにアクセスすることを許可する旨の許可設定がされている場合に、放送外マネージドアプリが内部データにアクセスすることを禁止するように、実行処理部１３２に制御信号を送信する。
【００３３】
取得部１５は、アプリを取得するための取得手段であり、例えば、インターネット回線を通じて、放送マネージドアプリ、又は、放送外マネージドアプリを取得する。取得部１５は、放送マネージドアプリを取得する場合、チューナ部１２から取得したアプリＵＲＬの示すサーバにアクセスし、該サーバから表示中の放送番組に対応する放送マネージドアプリを取得する。また、取得部１５は、ユーザからの操作指示に応じて、記憶部１７に格納されているアプリＵＲＬリスト中の任意のＵＲＬの示すサーバにアクセスし、該サーバから放送外マネージドアプリを取得する。取得部１５は、取得した放送マネージドアプリまたは放送外マネージドアプリを実行処理部１３２に供給する。
【００３４】
指示受付部１６は、ユーザからの操作指示を受け付けるための手段である。ユーザからの操作指示は、例えば、図示しないリモートコントローラ（リモコンとも呼ぶ）、および、表示装置１に備えられている図示しないボタン等の操作部を介して受け付けられる。指示受付部１６は、ユーザから受け付けた操作指示に対応する制御信号を、表示装置１の備える各部に送信する。
【００３５】
記憶部１７には、表示装置１の動作を制御するためのプログラムの他に、内部データが格納されている。ここで、内部データとして、ユーザの視聴操作により生成された視聴履歴を示す視聴履歴情報、ユーザの録画操作により生成された録画履歴を示す録画履歴情報、及び、各種ＡＰＩのデータが格納されている。
【００３６】
（設定受付部１３３の詳細）
次に、設定受付部１３３の詳細について説明する。本実施形態において、設定受付部１３３は、録画又は再生に関する表示装置１の機能を機能の種別ごとにグループ化した各グループ（以下、「機能グループ」とも記載する）について、当該グループに対応する種別の機能を実現するＡＰＩ（以下、「当該機能グループのＡＰＩ」等とも称する）のデータに対する許可設定を受け付ける。なお、「機能の種別」とは、例えば、「ユーザ履歴の参照機能」、「ＨＤＤ（Hard Disk Drive）機能」、及び「リモコン機能」が挙げられる。「ユーザ履歴の参照機能」には、例えば、視聴履歴及び録画履歴などのユーザに関する情報を参照する機能が含まれる。「ＨＤＤ機能」には、例えば、表示装置１の備えるＨＤＤ等の記憶装置（記憶部１７）に放送番組を録画する機能、及び録画した放送番組を再生する機能が含まれる。「リモコン機能」は、例えば、再生する番組を切り替える機能や、字幕表示のＯＮ／ＯＦＦなどのように、ユーザがリモコンを用いることによって実現される機能が含まれる。
【００３７】
より具体的には、設定受付部１３３は、放送局ごとに、以下の処理を行う。即ち、設定受付部１３３は、各機能グループについて、「該当放送局が放送する番組の受信中に上記アプリによる当該機能グループのＡＰＩのデータへのアクセスを許可するか否か」に関する許可設定を受け付ける。なお、各機能グループのＡＰＩの数は、複数であってもよいし、一つであってもよい。
【００３８】
ここで、設定受付部１３３が受け付ける許可設定について、図３を参照して説明する。図３は、設定受付部１３３が許可設定を受け付ける際に表示部１４に表示される画面の一例を示す図である。
【００３９】
図３に示す例において、「放送局Ａ受信中」は、放送局Ａが放送する番組を受信している場合の許可設定を示しており、「放送局Ｂ受信中」は、放送局Ｂが放送する番組を受信している場合の許可設定を示している。図３には、放送局Ａが放送する番組を受信している場合における各機能グループに対する許可設定、及び放送局Ｂが放送する番組を受信している場合における各機能グループに対する許可設定が示されている。図３に示す例において、「録画履歴アクセス」は、録画履歴にアクセスする機能に関する機能グループに対する許可設定を示しており、「ＨＤＤ録画再生」は、放送番組の録画及び録画された放送番組の再生に関する機能グループに対する許可設定を示している。
【００４０】
図３に示すように、各機能グループに対して、「許可」、「連動のみ」、「番組ごと」、「禁止」の何れかが設定される。図３に示す例において、「許可」は、全てのアプリが該当機能グループのＡＰＩデータにアクセスすることを許可する設定を示し、「連動のみ」は、連動アプリのみが該当機能グループのＡＰＩデータにアクセスすることを許可する設定を示している。また、「番組ごと」は、番組の再生中に当該機能グループのＡＰＩへのアクセスがあった時に、当該番組の再生が終了するまでの間に限ってアプリが当該ＡＰＩのデータへアクセスすることを許可するか否かの設定を別途受け付ける設定を示している。さらに、「禁止」は、全てのアプリが該当機能グループのＡＰＩデータにアクセスすることを禁止する設定を示している。
【００４１】
また、図３においては、破線で囲まれた設定が、ユーザにより選択された設定であることを示している。すなわち、図３に示す例においては、「放送局Ａ」が放送する番組を再生中には、連動アプリのみが「録画履歴アクセス」に関する機能グループのＡＰＩにアクセスすることが許可されており、全てのアプリが、「ＨＤＤ録画再生」に関する機能グループのＡＰＩにアクセスすることが許可されていることを示している。
【００４２】
（表示装置１が、ＡＰＩにアクセスしようとした時に表示するダイアログの例）
次に、表示装置１が表示する上記ダイアログの例について図４を参照して説明する。図４は、表示部１４に表示される画面の例を示す図である。
【００４３】
図４（ａ）は、アプリがＡＰＩデータにアクセスすることを拒否（ブロック）された場合に表示される画面の一例を示している。図４（ａ）に示すように、表示装置１は、アクセスが許可設定により禁止されているＡＰＩにアクセスしようとする場合、アプリが内部データにアクセスすることをブロックされたことを示すダイアログを表示する。図４（ａ）に示すように、表示されるダイアログには、（１）ブロックされたアプリが、連動アプリまたは非連動アプリの何れであるか、（２）ブロックされたアプリの名称、または当該アプリを提供する放送局名、及び（３）表示装置１の機能のうち、何れの機能へのアクセスをブロックしたか、を示す情報が含まれている。すなわち、図４に示す例においては、「非連動アプリ」である「おすすめ番組」という名称のアプリが、「録画履歴の参照」を行う機能にアクセスすることをブロックした、ことが示されている。
【００４４】
また、図４（ｂ）は、再生中の番組の再生が終了するまでの間に限ってアプリが内部データへアクセスすることを許可するか否かの設定を受け付ける際に表示される画面の一例を示す図である。図４（ｂ）に示すように、実行処理部１３２により実行されたアプリが「番組ごと」の許可設定がされている機能グループのＡＰＩへアクセスしようとする場合、表示制御部１３１は、当該アプリがＡＰＩデータへアクセスすることを一時的に許可するか否かの設定を受け付けるためのダイアログを表示する。図４（ｂ）に示す例においては、「放送局Ｂ」から提供された「連動アプリ」が、「ＨＤＤ録画再生機能」にアクセスしようとしていることが示されている。図４（ｂ）に示すように、設定受付部１３３は、指示受付部１６を介して、「この番組のみ許可」、または「許可しない」の何れかを選択する旨の操作指示を受け付けることにより、再生中の番組の再生が終了するまでの間に限ってアプリが内部データへアクセスすることを許可するか否かの許可設定を受け付ける。図４（ｂ）に示す例において、ユーザが「この番組のみ許可」を選択すると、アプリがＨＤＤ録画再生機能にアクセスすることが一時的に許可され、アクセス制限処理部１３４により当該機能が実行されるように制御される。また、図４（ｂ）に示す例において、ユーザが「許可しない」を選択すると、アプリがＨＤＤ録画再生機能にアクセスすることが禁止され、アクセス制限処理部１３４により当該機能が実行されないように制御される。
【００４５】
また、図４（ｂ）に示す例において、ユーザにより選択された許可設定は、表示装置１が再生中の番組の再生が終了するまで維持される。ここで、「再生中の番組の再生が終了する」場合には、再生中の番組が終了し、次の番組に切り替わる場合、及び、ユーザの選局操作により番組が切り替わる場合が含まれる。なお、番組が切り替わったことを検知する処理として、番組の再生中に当該番組を識別するEventIDを繰り返し取得し、取得したEventIDが変化することを検知することにより、番組が切り替わったことを検知する構成とすればよい。また、EventIDに加えてチャンネルを識別するServiceIDを繰り返し取得し、取得したEventID又はServiceIDが変化することを検知することにより、番組が切り替わったことを検知する構成としてもよい。
【００４６】
〔表示装置１の動作〕
次に、表示装置１が行う処理の流れについて、図５〜７を参照して説明する。はじめに、表示装置１がアプリを起動する際の動作について図５を参照して説明する。図５は、表示装置１がアプリの起動に先立って行う処理の一例を示すフローチャートである。
【００４７】
（Ｓ１０１）
図５に示すように、実行処理部１３２は、アプリの起動を指示する制御信号を受信する。放送マネージドアプリの起動を指示する制御信号は、放送ストリームに含まれる制御信号であって、チューナ部１２から供給された制御信号である。また、放送外マネージドアプリの起動を指示する制御信号は、ユーザからの操作指示（起動指示）に基づく制御信号であって、指示受付部１６から供給された制御信号である。
【００４８】
（Ｓ１０２）
続いて、実行処理部１３２は、取得部１５から供給されたアプリであって、Ｓ１０１にて起動することを指示されたアプリのＡＩＴ（Application Information Table）を参照して、当該アプリの種別、すなわち、当該アプリが放送マネージドアプリであるか否かを示す情報を取得する。
【００４９】
（Ｓ１０３）
続いて、実行処理部１３２は、Ｓ１０２にて取得した情報に基づき、当該アプリが放送マネージドアプリであるか否かを判定する。表示装置１は、当該アプリが放送マネージドアプリであると判定された場合、Ｓ１０６の処理に進む。また、表示装置１は、当該アプリが放送外マネージドアプリでないと判定された場合、Ｓ１０４の処理に進む。
【００５０】
（Ｓ１０４）
続いて、実行処理部１３２は、Ｓ１０３にて放送マネージドアプリでないと判定されたアプリを起動することが受信中の放送局によって許可されているか否かを示す起動許可情報を、当該放送局から取得する。起動許可情報は、例えば、放送ストリームに含まれる情報を参照することにより取得される。
【００５１】
（Ｓ１０５）
続いて、実行処理部１３２は、Ｓ１０４にて取得した起動許可情報が、アプリの起動を許可する情報であるか否かを判定する。表示装置１は、Ｓ１０４にて取得した起動許可情報が、アプリの起動を許可する情報であると判定された場合、Ｓ１０６の処理に進む。また、表示装置１は、Ｓ１０４にて取得した起動許可情報が、アプリの起動を禁止する情報であると判定された場合、Ｓ１０７の処理に進む。
【００５２】
（Ｓ１０６）
続いて、実行処理部１３２は、Ｓ１０３にて放送マネージドアプリであると判定されたアプリ、または、Ｓ１０３にて放送マネージドアプリでないと判定されたアプリであって、Ｓ１０５にて起動することを許可されていると判定されたアプリ（即ち、放送外マネージドアプリ）を起動する。実行処理部１３２がアプリを起動すると、表示装置１は、Ｓ１０７の処理に進む。
【００５３】
（Ｓ１０７）
続いて、表示装置１は、Ｓ１０５にて、Ｓ１０４にて取得した起動許可情報が、アプリの起動を禁止する情報であると判定された場合、受信中の放送番組のみを表示部１４に表示する。また、表示装置１は、Ｓ１０６にて、アプリを起動した場合、受信中の放送番組と、当該アプリの実行結果を示す画面とを表示部１４に表示する。
【００５４】
以上の処理により、表示装置１は、放送局によって許可されたアプリのみを起動することができる。
【００５５】
次に、アプリを起動した後の表示装置１の動作について図６〜７を参照して説明する。図６は、表示装置１の動作の一例を示すフローチャートである。
【００５６】
（Ｓ２０１）
図６に示すように、実行処理部１３２は、起動したアプリを実行することにより、当該アプリからの録画又は再生に関するデータ（具体的には、ＡＰＩのデータ）へのアクセスを検出する。
【００５７】
（Ｓ２０２）
続いて、実行処理部１３２は、Ｓ２０１にてアクセスされるＡＰＩデータが属する機能グループを特定する。実行処理部１３２は、特定した機能グループをアクセス制限処理部１３４に通知する。
【００５８】
（Ｓ２０３）
続いて、アクセス制限処理部１３４は、記憶部１７を参照して、受信中の放送局に対する許可設定を取得する。
【００５９】
（Ｓ２０４）
続いて、アクセス制限処理部１３４は、Ｓ２０３にて取得した許可設定を参照して、Ｓ２０２にて通知された機能グループに対する許可設定が、「禁止」であるか否かを判定する。表示装置１は、Ｓ２０２にて通知された機能グループに対する許可設定が「禁止」であると判定された場合、Ｓ２０５の処理に進む。また、表示装置１は、Ｓ２０２にて通知された機能グループに対する許可設定が「禁止」ではないと判定された場合、Ｓ２０７の処理に進む。
【００６０】
（Ｓ２０５）
続いて、アクセス制限処理部１３４は、Ｓ２０１にて検出されたデータへのアクセスをブロックするよう、実行処理部１３２に制御信号を送信する。表示装置１は、Ｓ２０１にて検出されたデータへのアクセスがブロックされたことを示すダイアログ（図４（ａ）に示す画面）を表示部１４に表示する。
【００６１】
（Ｓ２０６）
続いて、アクセス制限処理部１３４は、Ｓ２０１にて検出されたデータへのアクセスがブロックされた旨を、アプリに通知する。実行処理部１３２は、Ｓ２０１にて検出されたデータへのアクセスの実行を行わずに、アプリの次の処理を実行する。
【００６２】
（Ｓ２０７）
Ｓ２０４にて、Ｓ２０２にて通知された機能グループに対する許可設定が、「禁止」ではないと判定された場合、アクセス制限処理部１３４は、Ｓ２０３にて取得した許可設定を参照して、Ｓ２０２にて通知された機能グループに対する許可設定が、「連動のみ」であるか否かを判定する。表示装置１は、Ｓ２０２にて通知された機能グループに対する許可設定が「連動のみ」であると判定された場合、Ｓ２０８の処理に進む。また、表示装置１は、Ｓ２０２にて通知された機能グループに対する許可設定が「連動のみ」ではないと判定された場合、Ｓ２１０の処理に進む。
【００６３】
（Ｓ２０８）
続いて、実行処理部１３２は、実行中のアプリのＡＩＴを参照して、当該アプリの種別、すなわち、当該アプリが放送マネージドアプリであるか否かを示す情報を取得する。
【００６４】
（Ｓ２０９）
続いて、実行処理部１３２は、Ｓ２０８にて取得した情報に基づき、当該アプリが放送マネージドアプリであるか否かを判定する。表示装置１は、当該アプリが放送マネージドアプリであると判定された場合、Ｓ２１１の処理に進む。また、表示装置１は、当該アプリが放送外マネージドアプリであると判定された場合、Ｓ２０５の処理に進む。
【００６５】
（Ｓ２１０）
Ｓ２０７にて、Ｓ２０２にて通知された機能グループに対する許可設定が、「連動のみ」ではないと判定された場合、アクセス制限処理部１３４は、Ｓ２０３にて取得した許可設定を参照して、Ｓ２０２にて通知された機能グループに対する許可設定が、「番組ごと」であるか否かを判定する。表示装置１は、Ｓ２０２にて通知された機能グループに対する許可設定が「番組ごと」であると判定された場合、Ｓ２１３の処理に進む。また、表示装置１は、Ｓ２０２にて通知された機能グループに対する許可設定が「番組ごと」ではないと判定された場合、Ｓ２１１の処理に進む。
【００６６】
（Ｓ２１１）
続いて、アクセス制限処理部１３４は、Ｓ２０１にて検出されたデータへのアクセスが許可された旨を、実行処理部１３２に通知し、実行処理部１３２は、Ｓ２０１にて検出されたデータへのアクセス処理を実行する。
【００６７】
（Ｓ２１２）
続いて、アクセス制限処理部１３４は、Ｓ２０１にて検出されたデータへのアクセスが許可された旨を、アプリに通知する。
【００６８】
（Ｓ２１３）
Ｓ２１０にて、Ｓ２０２にて通知された機能グループに対する許可設定が、「番組ごと」であると判定された場合、表示装置１は、番組ごとに許可設定を行う処理を実行する。Ｓ２１３の処理の詳細については、図７を参照して説明する。表示装置１が番組ごとに許可設定を行う処理を実行すると、実行処理部１３２は、アプリの次の処理を実行する。
【００６９】
以上のように、表示装置１によれば、アプリは、アクセスを許可する旨の許可設定がされていない機能グループのＡＰＩデータにアクセスすることがないので、表示装置１は、ユーザにとってアクセスされたくないデータへアプリがアクセスすることを制限することができる。
【００７０】
続いて、表示装置１において、番組ごとに許可設定を行う際の処理について図７を参照して説明する。図７は、図６に示すフローチャートにおいて、番組ごとに許可設定を行う場合の動作、すなわち、図６のフローチャートにおけるＳ２１３の動作の詳細を示すフローチャートである。
【００７１】
（Ｓ２１３−１）
図７に示すように、図６のＳ２１０にて、Ｓ２０２にて通知された機能グループに対する許可設定が、「番組ごと」であると判定された場合、アクセス制限処理部１３４は、記憶部１７を参照して、以前ユーザが入力した情報、ServiceID、及びEventIDの取得を試みる。ここで、以前ユーザが入力した情報とは、許可設定が「番組ごと」である場合に、ユーザが「この番組のみ許可」、または「許可しない」の何れを選択したかを示す情報であり、以前Ｓ２１３の処理が行われた時に当該ServiceID及び当該EventIDと共に記憶部１７に格納された情報である。
【００７２】
（Ｓ２１３−２）
アクセス制限処理部１３４が、以前ユーザが入力した情報、ServiceID、及びEventIDを取得すると、表示装置１は、Ｓ２１３−５の処理に進む。また、アクセス制限処理部１３４が以前のユーザからの入力、ServiceID、及びEventIDを取得できない場合、表示装置１は、Ｓ２１３−３の処理に進む。
【００７３】
（Ｓ２１３−３）
続いて、表示装置１は、実行中のアプリがＡＰＩデータへ一時的にアクセスすることを許可するか否かの設定を受け付けるためのダイアログ（図４（ｂ）に示す画面）を表示する。
【００７４】
（Ｓ２１３−４）
続いて、設定受付部１３３は、指示受付部１６を介して、「この番組のみ許可」、または「許可しない」の何れかを選択する旨の操作指示を受け付けることにより、再生中の番組の再生が終了するまでの間に限ってアプリが内部データへアクセスすることを許可するか否かの許可設定を受け付ける。設定受付部１３３は、ユーザからの入力と、現在のServiceID及びEventIDとを記憶部１７に格納する。続いて、表示装置１は、Ｓ２１３−７の処理に進む。
【００７５】
（Ｓ２１３−５）
アクセス制限処理部１３４が、以前ユーザが入力した情報、ServiceID、及びEventIDをＳ２１３−２にて取得した場合、表示装置１は、繰り返し取得しているServiceIDまたはEventIDが変化しているか否かを判定する。ServiceIDまたはEventIDが変化していると判定された場合、表示装置１は、Ｓ２１３−６の処理に進む。また、ServiceIDまたはEventIDが変化していないと判定された場合、表示装置１は、Ｓ２１３−７の処理に進む。
【００７６】
（Ｓ２１３−６）
続いて、アクセス制限処理部１３４は、記憶部１７に格納されている以前のユーザからの入力、ServiceID、及びEventIDを消去し、表示装置１は、Ｓ２１３−３の処理に進む。
【００７７】
（Ｓ２１３−７）
Ｓ２１３−５にてServiceIDまたはEventIDが変化していないと判定された場合、アクセス制限処理部１３４は、Ｓ２１３−２にて取得した情報に基づき、再生中の番組の再生開始時点以降にユーザによって「この番組のみ許可」が選択されたか否かを判定する。表示装置１は、ユーザによって「この番組のみ許可」を選択されたと判定した場合、Ｓ２１３−８の処理に進む。また、表示装置１は、ユーザによって「この番組のみ許可」が選択されていないと判定された場合、Ｓ２１３−１０の処理に進む。
【００７８】
（Ｓ２１３−８）
続いて、アクセス制限処理部１３４は、図６のＳ２０１にて検出されたデータへのアクセスが許可された旨を、実行処理部１３２に通知し、実行処理部１３２は、Ｓ２０１にて検出されたデータへのアクセス処理を実行する。
【００７９】
（Ｓ２１３−９）
続いて、アクセス制限処理部１３４は、図６のＳ２０１にて検出されたデータへのアクセスが許可された旨を、アプリに通知する。
【００８０】
（Ｓ２１３−１０）
Ｓ２１３−７にて「この番組のみ許可」が選択されたと表示装置１が判定した場合、アクセス制限処理部１３４は、図６のＳ２０１にて検出されたデータへのアクセスをブロックするよう、実行処理部１３２に制御信号を送信する。表示装置１は、図６のＳ２０１にて検出されたデータへのアクセスがブロックされたことを示すダイアログを表示部１４に表示する。
【００８１】
（Ｓ２１３−１１）
続いて、アクセス制限処理部１３４は、図６のＳ２０１にて検出されたデータへのアクセスがブロックされた旨を、アプリに通知する。実行処理部１３２は、図６のＳ２０１にて検出されたデータへのアクセスの実行を行わずに、アプリの次の処理を実行する。
【００８２】
以上のように、表示装置１は、或る番組を再生している間、アプリが内部データへアクセスすることを一時的に許可することができるので、ユーザが許可設定を変更するための負担を軽減することができる。
【００８３】
〔表示装置１の構成例〕
図８は、本実施形態に係る表示装置１の構成例を示す外観図である。表示装置１の構成例は、例えば、図８（ａ）に示す構成でもよい。図８（ａ）に例示した表示装置１は、外付ディスプレイ２と無線通信により接続されており、表示装置１が表示部１４（内蔵ディスプレイ）を備えていない場合においても、外付ディスプレイ２に画像を表示することができる。なお、表示装置１と、外付ディスプレイとの接続は有線接続であってもよい。また、表示装置１の構成例として、例えば、図８（ｂ）に示す構成としてもよい。図８（ｂ）における表示装置１は、本実施形態にて説明した通り、表示部１４（内蔵ディスプレイ）を備えているため、表示装置１は、「テレビ」とも呼称される。また、表示装置１の構成例として、例えば、図８（ｃ）に示すような構成としてもよい。図８（ｃ）における表示装置１は、例えば、ＤＶＤ（Digital Versatile Disc）プレーヤなどの外部機器３により再生された画像を表示するものであってもよい。
【００８４】
＜実施形態２＞
実施形態１に係る表示装置１は、Ｈｙｂｒｉｄｃａｓｔ（登録商標）に対応したテレビであるが、本発明に係る表示装置は、Ｈｙｂｒｉｄｃａｓｔ（登録商標）に対応したテレビに限定されない。例えば、本発明に係る表示装置は、Ｈｙｂｒｉｄｃａｓｔ（登録商標）と類似のサービスを利用できるテレビであってもよい。
【００８５】
＜実施形態３＞
実施形態１に係る表示装置１は、機能グループ毎に、マネージドアプリによる当該機能グループのＡＰＩへのアクセスを許可するか否かの設定を受け付けるように構成されているが、本発明に係る表示装置は、そのような構成に限定されない。例えば、本発明に係る表示装置は、マネージドアプリによる履歴情報（視聴履歴情報及び／又は録画履歴情報）へのアクセス（ＡＰＩを介さないアクセス）を許可するか否かの設定を受け付けるように構成されていてもよい。
【００８６】
〔ソフトウェアによる実現例〕
表示装置１の制御ブロック（特に設定受付部１３３およびアクセス制限処理部１３４）は、集積回路（ＩＣチップ）等に形成された論理回路（ハードウェア）によって実現してもよいし、ＣＰＵ（Central Processing Unit）を用いてソフトウェアによって実現してもよい。
【００８７】
後者の場合、表示装置１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００８８】
〔まとめ〕
本発明の態様１に係る表示装置１は、番組の映像を表示する表示装置１において、上記番組との同時の提示が上記番組を放送する放送局によって認められたアプリケーション（放送マネージドアプリ、又は、放送外マネージドアプリ）を取得する取得手段（取得部１５）と、上記番組の録画又は再生に関するデータに上記アプリケーションがアクセスすることを許可するか否かの設定を受け付ける設定受付手段（設定受付部１３３）と、上記アクセスを許可する旨の上記設定がされている場合に限って上記アプリケーションが上記データにアクセスすることを許可するアクセス制限手段（アクセス制限処理部１３４）と、を備えている、ことを特徴とする。
【００８９】
上記の構成によれば、上記設定受付手段により、上記番組の録画又は再生に関するデータに上記アプリケーションがアクセスすることを許可するか否かの設定をユーザから受け付ける。上記アプリケーションは、上記アクセス制限手段により、上記アクセスを許可する旨の上記設定がされている場合に限って上記データにアクセスするよう制限される。すなわち、上記アプリケーションは、上記アクセスを許可する旨の上記設定がされていないデータにアクセスすることがない。
【００９０】
したがって、上記の構成によれば、自機が実行するアプリケーションがユーザにとってアクセスされたくないデータへアクセスすることを制限することができる。
【００９１】
本発明の態様２に係る表示装置は、上記態様１において、上記データは、上記録画又は再生に関する上記表示装置の機能を実現するプログラムのデータであり、上記設定受付手段は、上記機能の種別ごとにグループ化した各グループについて、当該グループに対応する種別の機能を実現するプログラムのデータに上記アプリケーションがアクセスすることを許可するか否かの上記設定を受け付ける、ことが好ましい。
【００９２】
上記の構成によれば、上記機能の種別ごとにグループ化した各グループについて、当該グループに対応する種別の機能を実現するプログラムのデータに上記アプリケーションがアクセスすることを許可するか否かの上記設定をユーザから受け付けることができる。すなわち、ユーザは、上記データの各々について、個別に設定を行う必要がない。
【００９３】
したがって、上記の構成によれば、上記設定を行う際のユーザへの負担を軽減することができる。
【００９４】
本発明の態様３に係る表示装置は、上記態様１または２において、上記設定受付手段は、放送局ごとに、当該放送局が放送する番組を再生している間に上記アプリケーションが上記データにアクセスすることを許可するか否かの上記設定を受け付ける、ことが好ましい。
【００９５】
上記の構成によれば、放送局ごとに、当該放送局が放送する番組を再生している間に上記アプリケーションが上記データにアクセスすることを許可するか否かの上記設定をユーザから受け付けることができる。すなわち、ユーザは、番組を放送する放送局に応じて、上記アプリケーションが上記データにアクセスすることを許可するか否かを個別に設定することができる。
【００９６】
したがって、上記の構成によれば、ユーザの好みに応じた上記設定を行うことができる。
【００９７】
本発明の態様４に係る表示装置は、上記態様１から３において、上記アプリケーションは、再生中の番組に連動する連動アプリケーション（放送マネージドアプリ）、または、再生中の番組に連動しない非連動アプリケーション（放送外マネージドアプリ）の何れかであり、上記アクセス制限手段は、上記連動アプリケーションのみが上記データにアクセスすることを許可する旨の上記設定がされている場合に、上記非連動アプリケーションが上記データにアクセスすることを禁止する、ことが好ましい。
【００９８】
上記の構成において、上記連動アプリケーションは、再生中の番組に連動するアプリケーションであるため、当該番組を放送する放送局により認められたアプリケーションである。一方、上記非連動アプリケーションには、再生中の番組に連動しないアプリケーションであるため、当該番組を放送する放送局により認められたアプリケーションと、当該番組を放送する放送局により認められていないアプリケーションとが含まれる。上記非連動アプリケーションが当該番組を放送する放送局により認められていないアプリケーションである場合には、ユーザの意図しない上記データにアクセスされる虞がある。上記の構成によれば、上記連動アプリケーションのみが上記データにアクセスすることを許可する旨の上記設定がされている場合には、上記非連動アプリケーションが上記データにアクセスすることがない。
【００９９】
したがって、上記の構成によれば、自機が実行するアプリケーションがユーザにとってアクセスされたくないデータへアクセスすることをより確実に制限することができる。
【０１００】
本発明の態様５に係る表示装置は、上記態様１から３において、上記設定受付手段は、再生中の番組の再生が終了するまでの間に限って上記アプリケーションが上記データへアクセスすることを許可するか否かの上記設定を受け付ける、ことが好ましい。
【０１０１】
上記の構成によれば、再生中の番組の再生が終了するまでの間に限って上記アプリケーションが上記データへアクセスすることを許可するか否かの上記設定をユーザから受け付けることができる。すなわち、或る番組を再生している間、上記アプリケーションが上記データへアクセスすることを一時的に許可することができる。なお、「再生中の番組の再生が終了する」とは、再生中の番組が終了し、次の番組に切り替わる場合、及び、例えば、ユーザの選局操作により再生中の番組が他の番組に切り替えられる場合を含んでいる。
【０１０２】
したがって、上記の構成によれば、ユーザが上記設定を変更するための負担を軽減することができる。
【０１０３】
本発明の態様６に係る表示装置は、上記態様１から５において、ユーザの視聴操作により生成された視聴履歴情報を参照するプログラムのデータが、上記設定の対象となるデータである、ことが好ましい。
【０１０４】
上記の構成によれば、上記アプリケーションが、視聴履歴情報にアクセスするか否かを設定することができるので、自機が実行するアプリケーションがユーザにとってアクセスされたくないデータへアクセスすることを制限することができる。
【０１０５】
本発明の態様７に係る表示装置は、上記態様１から６において、ユーザの録画操作により生成された録画履歴情報を参照するプログラムのデータが、上記設定の対象となるデータである、ことが好ましい。
【０１０６】
上記の構成によれば、上記アプリケーションが、録画履歴情報にアクセスするか否かを設定することができるので、自機が実行するアプリケーションがユーザにとってアクセスされたくないデータへアクセスすることを制限することができる。
【０１０７】
本発明の態様８に係る表示装置は、上記態様１から７において、番組を録画する機能、及び、録画された番組を再生する機能を実現するプログラムのデータが、上記設定の対象となるデータである、ことが好ましい。
【０１０８】
上記の構成によれば、上記アプリケーションが、番組を録画する機能、及び、録画された番組を再生する機能を表示装置に実行させることがないので、自機が実行するアプリケーションがユーザにとってアクセスされたくないデータへアクセスすることを制限することができる。
【０１０９】
本発明の態様９に係る表示装置は、上記態様１から８において、再生する番組を切り替える機能を実現するプログラムのデータが、上記設定の対象となるデータである、ことが好ましい。
【０１１０】
上記の構成によれば、上記アプリケーションが、再生する番組を切り替える機能を表示装置に実行させることがないので、自機が実行するアプリケーションがユーザにとってアクセスされたくないデータへアクセスすることを制限することができる。
【０１１１】
本発明の態様１０に係る表示方法は、番組の映像を表示装置に表示する表示方法であって、上記番組との同時の提示が上記番組を放送する放送局によって認められたアプリケーションを取得する取得工程と、上記番組の録画又は再生に関するデータに上記アプリケーションがアクセスすることを許可するか否かの設定を受け付ける設定受付工程と上記アクセスを許可する旨の上記設定がされている場合に限って上記アプリケーションが上記データにアクセスすることを許可するアクセス制限工程と、を含んでいる、ことを特徴とする。
【０１１２】
上記の構成によれば、上記の表示装置と同様の効果を奏する。
【０１１３】
本発明の態様１１に係るテレビジョン受像機は、上記態様１から９に係る表示装置の各手段を備えている、ことを特徴とする。
【０１１４】
上記の構成によれば、上記の表示装置と同様の効果を奏する。
【０１１５】
本発明の各態様に係る表示装置は、コンピュータによって実現してもよく、この場合には、コンピュータを上記表示装置が備える各手段として動作させることにより上記表示装置をコンピュータにて実現させる表示装置の制御プログラム、およびそれを記録したコンピュータ読み取り可能な記録媒体も、本発明の範疇に入る。
【０１１６】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１１７】
本発明は、動画像及び外部から取得したアプリケーションを表示することのできるテレビジョン受像機、携帯電話、スマートフォン、タブレット端末、パーソナルコンピュータ、及び、カーナビゲーションシステムなどに、好適に適用することができる。
【符号の説明】
【０１１８】
１      表示装置
１３      制御部
１３３    設定受付部（設定受付手段）
１３４    アクセス制限処理部（アクセス制限手段）
１５      取得部（取得手段）
【図１】
2015211289.tif 000003
【図２】
2015211289.tif 000004
【図３】
2015211289.tif 000005
【図４】
2015211289.tif 000006
【図５】
2015211289.tif 000007
【図６】
2015211289.tif 000008
【図７】
2015211289.tif 000009
【図８】
2015211289.tif 000010
【手続補正書】
【提出日】平成27年3月4日(2015.3.4)
【手続補正１】
【補正対象書類名】特許請求の範囲
【補正対象項目名】全文
【補正方法】変更
【補正の内容】
【特許請求の範囲】
【請求項１】
番組の映像を表示する表示装置において、
上記番組に伴う提示が上記番組を放送する放送局によって認められたアプリケーションを取得する取得手段と、
上記番組の録画又は再生に関するデータに上記アプリケーションがアクセスすることを許可するか否かの設定を受け付ける設定受付手段と、
上記アクセスを許可する旨の上記設定がされている場合に上記アプリケーションが上記データにアクセスすることを許可するアクセス制限手段と、を備えている、
ことを特徴とする表示装置。
【請求項２】
前記取得手段は、放送波から前記アプリケーションの取得先情報を取得し、当該取得先から前記アプリケーションを取得する、
ことを特徴とする請求項１に記載の表示装置。
【請求項３】
上記データは、上記録画又は再生に関する上記表示装置の機能を実現するプログラムのデータであり、
上記設定受付手段は、上記機能の種別ごとにグループ化した各グループについて、当該グループに対応する種別の機能を実現するプログラムのデータに上記アプリケーションがアクセスすることを許可するか否かの上記設定を受け付ける、
ことを特徴とする請求項１または２に記載の表示装置。
【請求項４】
上記設定受付手段は、放送局ごとに、当該放送局が放送する番組を再生している間に上記アプリケーションが上記データにアクセスすることを許可するか否かの上記設定を受け付ける、
ことを特徴とする請求項１から３の何れか１項に記載の表示装置。
【請求項５】
上記設定受付手段は、再生中の番組の再生が終了するまでの間に上記アプリケーションが上記データへアクセスすることを許可するか否かの上記設定を受け付ける、
ことを特徴とする請求項１から４の何れか１項に記載の表示装置。
【請求項６】
番組の映像を表示装置に表示する表示方法であって、
上記番組に伴う提示が上記番組を放送する放送局によって認められたアプリケーションを取得する取得工程と、
上記番組の録画又は再生に関するデータに上記アプリケーションがアクセスすることを許可するか否かの設定を受け付ける設定受付工程と、
上記アクセスを許可する旨の上記設定がされている場合に上記アプリケーションが上記データにアクセスすることを許可するアクセス制限工程と、を含んでいる、
ことを特徴とする表示方法。
【請求項７】
上記設定受付工程にて、
上記表示装置の機能をグループ化した機能グループごとに複数の設定項目を画面に表示する、
ことを特徴とする請求項６に記載の表示方法。
【手続補正書】
【提出日】平成27年7月13日(2015.7.13)
【手続補正１】
【補正対象書類名】特許請求の範囲
【補正対象項目名】全文
【補正方法】変更
【補正の内容】
【特許請求の範囲】
【請求項１】
番組の映像を表示する表示装置において、
上記番組に伴う提示が上記番組を放送する放送局によって認められたアプリケーションを取得する取得手段と、
上記番組の録画又は再生に関するデータに上記アプリケーションがアクセスすることを許可するか否かの設定を受け付ける設定受付手段と、
上記アクセスを許可する旨の上記設定がされている場合に上記アプリケーションが上記データにアクセスすることを許可するアクセス制限手段と、
上記表示装置の機能をグループ化した機能グループごとに、上記設定に関する複数の設定候補を画面に表示する表示制御手段と、を備えている、
ことを特徴とする表示装置。
【請求項２】
前記取得手段は、放送波から前記アプリケーションの取得先情報を取得し、当該取得先から前記アプリケーションを取得する、
ことを特徴とする請求項１に記載の表示装置。
【請求項３】
上記データは、上記録画又は再生に関する上記表示装置の機能を実現するプログラムであり、
上記設定受付手段は、上記機能の種別ごとにグループ化した各グループについて、当該グループに対応する種別の機能を実現するプログラムに上記アプリケーションがアクセスすることを許可するか否かの上記設定を受け付ける、
ことを特徴とする請求項１または２に記載の表示装置。
【請求項４】
上記設定受付手段は、放送局ごとに、当該放送局が放送する番組を再生している間に上記アプリケーションが上記データにアクセスすることを許可するか否かの上記設定を受け付ける、
ことを特徴とする請求項１から３の何れか１項に記載の表示装置。
【請求項５】
上記設定受付手段は、再生中の番組の再生が終了するまでの間に上記アプリケーションが上記データへアクセスすることを許可するか否かの上記設定を受け付ける、
ことを特徴とする請求項１から４の何れか１項に記載の表示装置。
【請求項６】
番組の映像を表示装置に表示する表示方法であって、
上記番組に伴う提示が上記番組を放送する放送局によって認められたアプリケーションを取得する取得工程と、
上記番組の録画又は再生に関するデータに上記アプリケーションがアクセスすることを許可するか否かの設定を受け付ける設定受付工程と、
上記アクセスを許可する旨の上記設定がされている場合に上記アプリケーションが上記データにアクセスすることを許可するアクセス制限工程と、を含んでおり、
上記設定受付工程にて、
上記表示装置の機能をグループ化した機能グループごとに、上記設定に関する複数の設定候補を画面に表示する、
ことを特徴とする表示方法。